(57)【要約】【課題】収容開口の横幅を広くするとともに、正面側および上面側を開口するようにすることにより、骨壺の出し入れが楽になり、納骨作業を容易に行うことができる墓石を提供する。【解決手段】前石６、後石７、左右の入子８、８の四ツ石により包囲した内部を収容室Ｓとしたカロート３の上面後方側に天石９を被せ、上面前方側に蓋石１０を被せたものとし、前記前石６を上前石６ａ、下前石６ｂの上下二分割体からなるものとし、この上前石６ａを前記下前石６ｂの上面に積み重ねたものとし、前記蓋石１０および上前石６ａを取り除くことにより、前記カロート３に収容開口３ａが形成されるようにしている。【選択図】図７
2007291619.tif 000002
【特許請求の範囲】
【請求項１】
前石（６）、後石（７）、左右の入子（８、８）の四ツ石により包囲した内部を収容室（Ｓ）としたカロート（３）の上面後方側に天石（９）を被せ、上面前方側に蓋石（１０）を被せたものとし、前記前石（６）を上前石（６ａ）、下前石（６ｂ）の上下二分割体からなるものとし、この上前石（６ａ）を前記下前石（６ｂ）の上面に積み重ねたものとし、前記蓋石（１０）および上前石（６ａ）を取り除くことにより、前記カロート（３）に収容開口（３ａ）が形成されるようにしたことを特徴とする墓石。
【請求項２】
前記上前石（６ａ）の前方側に鋭角部をなくしたことを特徴とする請求項１記載の墓石。
【請求項３】
前記上前石（６ａ）の両側面に把手（１６）を設けたことを特徴とする請求項１記載の墓石。
【請求項４】
前記上前石（６ａ）の前方側に供物台（１８）を設けたことを特徴とする請求項１記載の墓石。
【請求項５】
前記上前石（６ａ）の前方側に花立（１９）を設けたことを特徴とする請求項１記載の墓石。
【請求項６】
前記蓋石（１０）を天石（９）より小さく、薄く形成したことを特徴とする請求項１記載の墓石。
【発明の詳細な説明】
【技術分野】
【０００１】
この発明は、納骨作業を容易に行うことができる四ツ石型（芝石型）の墓石に関するものである。
【背景技術】
【０００２】
従来、四ツ石型（芝石型）の墓石は、例えば図１８、１９に示したようなものが存在する。この墓石は、略直方体状の石材を複数段に積み重ねて構成した台部３１の最上部に、座布団形状のスリン台３２を介して、芋石３３を設けた構成としている。前記台部３１は、内部に骨壺が収容可能な収容室Ｓを有する箱形のカロート３４と、このカロート３４の上面後方側に積み重ねられたカロート３４より小さい箱形の中台３５と、この中台３５の上面後方側に積み重ねられた中台３５より小さい箱形の上台３６との三段構成としている。そして、前記カロート３４の正面側の壁面に重ね合わせるように、平板状で略矩形の墓誌板３７Ａ、３７Ｂ、３７Ｃが三枚並んで配設されている。また、前記カロート３４における上下の壁面の周縁部は、側壁からそれぞれ水平方向へ張り出すようにしており、上部支持壁３８および下部支持壁３９としている。さらに、前記カロート３４における正面の側壁の中央部には、カロート３４の収容室Ｓに骨壺を収容するための収容開口４０が開設されている。この収容開口４０は、図１９に示したように、蓋板４１によって閉じられたものとしている。
【０００３】
このように構成された従来の墓石は、骨壺を納骨したい場合には、三枚の墓誌板３７Ａ、３７Ｂ、３７Ｃのうち中央に配された墓誌板３７Ｂを取り除くとともに、カロート３４側の蓋板４１を手前に引き出して収容開口４０を開放させることにより、収容開口４０を通して納骨を行うことができるようにしている。
【特許文献１】特開２００６−２２５０７号公報（第３、４頁、図１、３）
【発明の開示】
【発明が解決しようとする課題】
【０００４】
しかしながら、上記従来の墓石では、カロート３４における正面の側壁の中央部に収容開口４０が開設されているだけであり、そのため収容開口４０は横幅が狭く、しかも正面側にしか開口していないので、骨壺の出し入れが困難となり、納骨作業を容易に行うことができないという問題点を有していた。
【０００５】
そこで、この発明は、上記従来の問題点を解消するものであり、収容開口の横幅を広くするとともに、正面側および上面側を開口するようにすることにより、骨壺の出し入れが楽になり、納骨作業を容易に行うことができる墓石を提供することを目的としてなされたものである。
【課題を解決するための手段】
【０００６】
そのため、この発明の墓石は、前石６、後石７、左右の入子８、８の四ツ石により包囲した内部を収容室Ｓとしたカロート３の上面後方側に天石９を被せ、上面前方側に蓋石１０を被せたものとし、前記前石６を上前石６ａ、下前石６ｂの上下二分割体からなるものとし、この上前石６ａを前記下前石６ｂの上面に積み重ねたものとし、前記蓋石１０および上前石６ａを取り除くことにより、前記カロート３に収容開口３ａが形成されるようにしている。
【０００７】
そして、この発明の墓石は、前記上前石６ａの前方側に鋭角部をなくしたものとすることができる。
【０００８】
また、この発明の墓石は、前記上前石６ａの両側面に把手１６を設けたものとすることができる。
【０００９】
さらに、この発明の墓石は、前記上前石６ａの前方側に供物台１８を設けたものとすることができる。
【００１０】
また、この発明の墓石は、前記上前石６ａの前方側に花立１９を設けたものとすることができる。
【００１１】
さらに、この発明の墓石は、前記蓋石１０を天石９より小さく、薄く形成したものとすることができる。
【発明の効果】
【００１２】
この発明の墓石は、以上のように構成されているので、収容開口３ａの横幅が広くなり、しかも正面側および上面側を開口するようにしたので、骨壺の出し入れが楽になり、納骨作業を容易に行うことができるものとなった。
【発明を実施するための最良の形態】
【００１３】
以下、この発明の墓石を実施するための最良の形態を、図面に基づいて詳細に説明する。
【００１４】
図１〜７は、この発明の墓石の一実施形態を示しており、略直方体状の石材を複数段に積み重ねて構成した台部１の最上部に、芋石２を設けた構成としている。前記台部１は、内部に骨壺が収容可能な収容室Ｓを有する箱型のカロート３と、このカロート３の上面後方側に積み重ねられたカロート３より小さい中台４と、この中台４の上面中央に積み重ねられた中台４より小さい上台５との三段構成としている。なお、前記芋石２と上台５との間にはスリン石（図示せず）を介在させてもよい。
【００１５】
前記カロート３は、前石６、後石７、左右の入子８、８の四ツ石により包囲した内部を前記収容室Ｓとし、これらの上面後方側に天石９を被せ、上面前方側に蓋石１０を被せたものとしている。前石６は、上前石６ａ、下前石６ｂの上下二分割体からなり、上前石６ａを下前石６ｂの上面に積み重ねたものとしている。また、天石９の上面後方側には前記中台４が積み重ねられており、天石９の上面前方側に水鉢台１１が設けられ、この水鉢台１１を挟んだ両側には一対の花立１２が設けられている。さらに、蓋石１０の上面後方側には香炉台１３が設けられ、この香炉台１３を挟んだ両側には一対の花立１４が必要に応じて設けられている。そして、前記蓋石１０および上前石６ａを取り除くことにより、カロート３に収容開口３ａが形成されるようにしている。
【００１６】
前記上前石６ａは、前面中間部から上面中間部にかけて平面状に切断して、前方側に傾斜面１５を形成することにより、前方側に鋭角部を無くし、断面が略台形状の横長石としたり、図８、９に示したように、この横長石の両側面に凹部または凸部とした把手１６を設けたものとすることができる。
【００１７】
また、前記上前石６ａは、図１０、１１に示したように、左右の入子８の前面中間部から上面前部にかけて平面状に切断して形成した傾斜面８ａに当接する傾斜面１７を設けた断面が転倒台形状の横長石とすることができる。そして、上前石６ａは、上面に一対のろうそく立２０を設けたものとしている。また、上前石６ａには、ろうそく立２０の下方に窪み２１を設け、この窪み２１から外部に連通する水抜き孔２２を設けたものとしている。
【００１８】
さらに、前記上前石６ａは、図１２、１３に示したように、前面中間部から上面中間部にかけて凹曲面状に切断して、前方側に供物台１８を設けた横長石とすることができる。
【００１９】
また、前記上前石６ａは、図１４、１５に示したように、前記前方側に設けた傾斜面１５に穴をあけて一対の花立１９を設けたものとすることができる。
【００２０】
さらにまた、前記上前石６ａは、図１６、１７に示したように、断面が略台形状の横長石とし、しかも奥行きを短くして薄くしたものとし、軽量化を図り、収容開口３ａの開閉操作をより容易に行えるようにしたものとすることもできる。なお、図１６に示した墓石のカロート３を構成する左右の入子８、８には、カロート３内に連通する空気孔２３を設けたものとしている。
【００２１】
前記蓋石１０は、天石９より小さく、薄く形成したものとしている。図示したものでは、蓋石１０の奥行きを天石９の約１／３にし、蓋石１０の厚さ天石９の約１／２にし、重量を軽減させたものとしている。
【００２２】
なお、前記花立１２、花立１４、花立１９は、これらを三つとも設けたものとしてもよいが、これらのうちのいずれかの二つ、またはいずれかの一つを設けたものとしてもよい。また、前記把手１６は、図１０〜１７に示した上前石６ａの両側面に設けたものとしてもよい。さらに、前記空気孔２３についても、図６、８、１０、１２、１４に示した墓石のカロート３を構成する左右の入子８、８に設けたものとしてもよい。
【００２３】
以上のように構成したこの発明の墓石は、骨壺を納骨したい場合には、図６に示した状態から、蓋石１０の上面後方側に設けられた香炉台１３、およびこの香炉台１３を挟んだ両側に設けられた花立１４を取り除くとともに、この蓋石１０を取り除き、さらに下前石６ｂの上面に積み重ねた上前石６ａをこの下前石６ｂの上面から取り除く。
【００２４】
すると、この発明の墓石は、図７に示したように、カロート３の正面側および上面側に収容開口３ａが形成されるので、この収容開口３ａを通して納骨を行うことができるものとなる。
【００２５】
なお、前記蓋石１０は、下前石６ｂの上面に積み重ねた上前石６ａを先に取り除き、カロート３の正面側に収容開口３ａを形成してから、この収容開口３ａから手を差し込んで前記蓋石１０の下面に手を添えて、この蓋石１０を最後に取り除けば、取り除き易いものとなるが、蓋石１０と上前石６ａを取り除く順序は後先逆になってもよい。
【００２６】
このように、この発明の墓石は、蓋石１０および上前石６ａを取り除けば、カロート３の正面側および上面側に収容開口３ａが形成され、しかもその収容開口３ａは横幅も広くなっているので、骨壺の出し入れが楽になり、納骨作業を容易に行うことができるものとなる。
【００２７】
さらに、前記蓋石１０は、天石９より小さく、薄く形成し、重量を軽減したものとしているので取り除き易いものとなる。また、上前石６ａは、両側面に把手１６を設けたものでは、この把手１６を掴めば取り除き易いものとなる。
【００２８】
また、この発明の墓石は、カロートの正面側および上面側に収容開口３ａが形成されるので、蓋石１０の奥行きを短くして上面側の収容開口３ａを狭くしても、骨壺の出し入れが困難になることがない。そして、蓋石１０の奥行きを短くすれば、天石９の奥行きを長くすることができ、この天石９の上面に積み重ねられる中台４を、天石９の後方側から中心側に寄せることができるので、天石９がバランスの取れた位置となり、芋石２、上台５、水鉢台１１、花立１２も同様にバランスの取れた位置となる。しかも、天石９の奥行きを長くすると、この天石９と前石６、後石７、左右の入子８、８との接触面が大幅に取れるので、安定性に優れたものとなり、地震の横揺れなどに強いものとなる。
【００２９】
さらに、この発明の墓石は、前石６を上前石６ａ、下前石６ｂの上下二分割体からなるものとしているだけであるので、素朴な形状が損なわれることなく、墓石として似つかわしいものとなり、また変に細工を施していないので、耐久性や耐候性が損なわれないものとなる。
【図面の簡単な説明】
【００３０】
【図１】この発明の墓石の第一実施形態を示す正面図である。
【図２】この発明の墓石の第一実施形態を示す背面図である。
【図３】この発明の墓石の第一実施形態を示す側面図である。
【図４】この発明の墓石の第一実施形態を示す平面図である。
【図５】この発明の墓石の第一実施形態を示す底面図である。
【図６】この発明の墓石の第一実施形態を示す斜視図である。
【図７】図６に示したこの発明の墓石から蓋石および上前石を取り除いた状態を示す斜視図である。
【図８】この発明の墓石の第二実施形態を示す斜視図である。
【図９】図８に示したこの発明の墓石の上前石の斜視図である。
【図１０】この発明の墓石の第三実施形態を示す斜視図である。
【図１１】図１０に示したこの発明の墓石の上前石の斜視図である。
【図１２】この発明の墓石の第四実施形態を示す斜視図である。
【図１３】図１２に示したこの発明の墓石の上前石の斜視図である。
【図１４】この発明の墓石の第五実施形態を示す斜視図である。
【図１５】図１４に示したこの発明の墓石の上前石の斜視図である。
【図１６】この発明の墓石の第六実施形態を示す斜視図である。
【図１７】図１６に示したこの発明の墓石の上前石の斜視図である。
【図１８】従来の墓石の一例を示す斜視図である。
【図１９】図８に示した従来の墓石のカロートの一部分解斜視図である。
【符号の説明】
【００３１】
３  カロート
３ａ  収容開口
６  前石
６ａ  上前石
６ｂ  下前石
７  後石
８  入子
９  天石
１０  蓋石
１６  把手
１８  供物台
１９  花立
Ｓ  収容室
【図１】
2007291619.tif 000003
【図２】
2007291619.tif 000004
【図３】
2007291619.tif 000005
【図４】
2007291619.tif 000006
【図５】
2007291619.tif 000007
【図６】
2007291619.tif 000008
【図７】
2007291619.tif 000009
【図８】
2007291619.tif 000010
【図９】
2007291619.tif 000011
【図１０】
2007291619.tif 000012
【図１１】
2007291619.tif 000013
【図１２】
2007291619.tif 000014
【図１３】
2007291619.tif 000015
【図１４】
2007291619.tif 000016
【図１５】
2007291619.tif 000017
【図１６】
2007291619.tif 000018
【図１７】
2007291619.tif 000019
【図１８】
2007291619.tif 000020
【図１９】
2007291619.tif 000021